(57)【要約】【課題】本発明はバッテリパック５０を含めた小型化や低背化が可能なカードコネクタ装置１を提供する。【解決手段】本目的はハウジング１２は２つの側壁２２と奥壁２４とこれらの側壁２２と奥壁２４と連設する下壁２６とを有し、シェル１６は上下２段に上板２８と下板３０を有し、ハウジング１２の２つの側壁２２と奥壁２４とシェル１６の上板２８及び下板３０とによりメモリーカード６２の挿入口２０を形成し、ハウジング１２の２つの側壁２２と奥壁２４と下壁２６とシェル１６の下板３０とによりＳＩＭカード６０の挿入口１８を形成し、ＳＩＭカード６０がカードコネクタ１０に挿入された際に、ＳＩＭカード６０はバッテリパック５０の下面に位置するとともにメモリーカード６２がカードコネクタ１０に挿入された際に、メモリーカード６２はバッテリパック５０の側面に位置することにより達成できる。【選択図】  図７
2008204847.tif 000002
【特許請求の範囲】
【請求項１】
ＳＩＭカードとメモリカードが挿抜されるカードコネクタであり、各々の前記カードの接点と接触する２種類のコンタクトと、各々の前記カードが挿入される挿入口を有するとともに２種類の前記コンタクトが配列・保持されるハウジングと該ハウジングに取付けるシェルとを有するカードコネクタと該カードコネクタに装着されるバッテリパックとを備えるカードコネクタ装置において、
前記ハウジングは２つの側壁と奥壁とこれらの側壁と奥壁と連設する下壁とを有し、前記シェルは上下２段に上板と下板を有し、前記ハウジングの２つの側壁と奥壁と前記シェルの上板及び下板とにより前記メモリーカードの挿入口を形成し、前記ハウジングの２つの側壁と奥壁と下壁と前記シェルの下板とにより前記ＳＩＭカードの挿入口を形成し、前記ＳＩＭカードが前記カードコネクタに挿入された際に、前記ＳＩＭカードは前記バッテリパックの下面に位置するとともに前記メモリーカードが前記カードコネクタに挿入された際に、前記メモリーカードは前記バッテリパックの側面に位置することを特徴とするカードコネクタ装置。
【請求項２】
一方の前記コンタクトは前記ハウジングの下壁に配置され、もう一方の前記コンタクトは前記ハウジングの奥壁に配置されることを特徴とする請求項１記載のカードコネクタ装置。
【請求項３】
前記シェルの上板と下板を一体に形成することを特徴とする請求項１または２記載のカードコネクタ装置。
【発明の詳細な説明】
【技術分野】
【０００１】
この発明は、携帯電話や通信機器などの各種電子・電気機器に使用され、ＳＩＭカード及びメモリカードを挿入してＳＩＭカード及びメモリカードと信号入出力可能なカードコネクタとバッテリーパックが装着されるカードコネクタ装置に関するもので、特にバッテリパックを含んでも奥行き方向の長さの小型化と低背化を図ったカードコネクタ装置に関するものである。
【背景技術】
【０００２】
近年、小型の携帯電話やデジタルカメラ等の普及に伴って記憶容量が大きく且つコンパクトな形状からなるメモリカードが用いられるようになった。メモリカードも、メモリカードを利用する機器の特性等によって、例えばＳＤ（Secure Digital memory card、登録商標）カード（以下単にＳＤカードという。）、メモリースティック（登録商標）カード（以下単にＭＳカードという。）、MMCカード（MMC card、登録商標）等でさらに小型化されたＭｉｃｒｏタイプのＳＤ  Ｍｉｃｒｏ（登録商標）カード、メモリースティック  Ｍｉｃｒｏ（登録商標）カード、Ｍｉｃｒｏ  MMCカード（登録商標）が用いられるようになった。これに伴い、これら種々のメモリカードへ書込み／読込みを行う装置として、メモリカードリーダライタが、コンピュータ本体内に、或は、外部機器として用いられている。
また、携帯電話等の通信機器に装着されるＳＩＭ（Subscriber  Identity  card、登録商標）カードが用いられる。
【０００３】
複数のメモリカードが挿入できる特許文献１（特開２００１−３５１７０９）と同一の２枚のメモリーカードが挿入できる特許文献２（特願２００２−８７５６）を示す。
【特許文献１】特開２００１−３５１７０９の要約によると、厚みの異なる複数のメモリーカードを同一のコネクタに選択的に挿入して情報機器を操作することを目的とし、コネクタ本体は左右側壁及び奥壁よりなり、左右側壁には使用されるメモリーカードの側壁に合わせた受容部がその全長に亘って形成され、側壁の内側面にはカード識別端子が複数段配置され、奥壁にはカードの蓄積情報を取り出し、叉はカードに電子情報を書き込むための端子が適宜配置され、通常の書込み禁止のための保護端子が他側の側壁の適所に配置される。カード識別端子はばね状の金属帯片からなり、複数段に亘ってコンタクトの一側壁に配置されるとともに、夫々の識別端子の接触によりカードの存在を識別する識別タブが、カードを挿入しない状態では端子と離間して、側壁内に配置されているコネクタが開示されている。
【特許文献２】特開２００２−８７５６の要約によると、カードを複数段挿入でき、基板の占有面積が小さく、容易にカードとのグランドを取ることが出来、コンタクトテールの位置決めも簡単に行えるメモリーカード用コネクタを提供することを目的とし、コンタクト２４，４４と、本体部２６とカードをガイドするガイド部２８とからなるハウジング２２、４２と、基板に固定する固定部材と、から構成されるコネクタを複数段に配置したメモリーカード用コネクタにおいて、最上段のコネクタ２０には下段コネクタ４０まで連設した固定部材１２を、下段側のコネクタ４０には接触部材１８を装着し、固定部材１２にはガイド部２８のカード挿入溝３６内に接触部１６を装着方向に接触片１４を設け、接触部材１８にはガイド部２８のカード挿入溝３６内に接触部１６を有し、固定部材１２の接触片が接触部材１８に接触しグランドをとる構造のメモリーカード用コネクタが開示されている。
【発明の開示】
【発明が解決しようとする課題】
【０００４】
近年、機器の小型化が進む中、コネクタの小型化要求もより一層強くなってきており、コネクタが軽薄短小化も進んできている。一方、客先からの要求で、ＳＩＭカードとメモリーカードを併用したいという要望も出てきている。また、ＳＩＭカードはバッテリパックを外さないと抜去できないようになっていることが多い。
ＳＩＭカードとメモリカードが挿入された状態のカードコネクタとバッテリパックとの位置関係によっては、バッテリパックを含めたカードコネクタ装置としての小型化や低背化の妨げになると言った課題があった。
【０００５】
本発明は、このような従来の問題点に鑑みてなされたもので、バッテリパックを含めた小型化や低背化が可能なカードコネクタ装置を提供せんとするものである。
【課題を解決するための手段】
【０００６】
本目的は、ＳＩＭカード６０とメモリカード６２が挿抜されるカードコネクタ１０であり、各々の前記カード６０、６２の接点と接触する２種類のコンタクト１４、１５と、各々の前記カード６０、６２が挿入される挿入口１８、２０を有するとともに２種類の前記コンタクト１４、１５が配列・保持されるハウジング１２と該ハウジング１２に取付けるシェル１８とを有するカードコネクタ１０と該カードコネクタ１０に装着されるバッテリパック５０とを備えるカードコネクタ装置１において、前記ハウジング１２は２つの側壁２２、２２と奥壁２４とこれらの側壁２２、２２と奥壁２４と連設する下壁２６とを有し、前記シェル１６は上下２段に上板２８と下板３０を有し、前記ハウジング１２の２つの側壁２２、２２と奥壁２４と前記シェル１６の上板２８及び下板３０とにより前記メモリーカード６２の挿入口２０を形成し、前記ハウジング１２の２つの側壁２２、２２と奥壁２４と下壁２６と前記シェル１６の下板３０とにより前記ＳＩＭカード６０の挿入口１８を形成し、前記ＳＩＭカード６０が前記カードコネクタ１０に挿入された際に、前記ＳＩＭカード６０は前記バッテリパック５０の下面に位置するとともに前記メモリーカード６２が前記カードコネクタ１０に挿入された際に、前記メモリーカード６２は前記バッテリパック５０の側面に位置することにより達成できる。
【０００７】
請求項２記載のカードコネクタ１０は、一方の前記コンタクト１４は前記ハウジング１２の下壁２６に配置され、もう一方の前記コンタクト１５は前記ハウジング１２の奥壁２４に配置されることを特徴とする請求項１記載のカードコネクタ装置１にある。
また、請求項３記載のカードコネクタ１０は、前記シェル１６の上板２８と下板３０を一体に形成することを特徴とする請求項１または２記載のカードコネクタ装置１にある。
【発明の効果】
【０００８】
以上の説明から明らかなように、本発明のカードコネクタ１０によると、次のような優れた顕著な効果が得られる。
（１）ＳＩＭカード６０とメモリカード６２が挿抜されるカードコネクタ１０であり、各々の前記カード６０、６２の接点と接触する２種類のコンタクト１４、１５と、各々の前記カード６０、６２が挿入される挿入口１８、２０を有するとともに２種類の前記コンタクト１４、１５が配列・保持されるハウジング１２と該ハウジング１２に取付けるシェル１８とを有するカードコネクタ１０と該カードコネクタ１０に装着されるバッテリパック５０とを備えるカードコネクタ装置１において、前記ハウジング１２は２つの側壁２２、２２と奥壁２４とこれらの側壁２２、２２と奥壁２４と連設する下壁２６とを有し、前記シェル１６は上下２段に上板２８と下板３０を有し、前記ハウジング１２の２つの側壁２２、２２と奥壁２４と前記シェル１６の上板２８及び下板３０とにより前記メモリーカード６２の挿入口２０を形成し、前記ハウジング１２の２つの側壁２２、２２と奥壁２４と下壁２６と前記シェル１６の下板３０とにより前記ＳＩＭカード６０の挿入口１８を形成し、前記ＳＩＭカード６０が前記カードコネクタ１０に挿入された際に、前記ＳＩＭカード６０は前記バッテリパック５０の下面に位置するとともに前記メモリーカード６２が前記カードコネクタ１０に挿入された際に、前記メモリーカード６２は前記バッテリパック５０の側面に位置しているので、前記バッテリパック５０があっても小型化や３．６ｍｍ以下の低背化が可能である。
（２）請求項２記載のカードコネクタ１０は、一方の前記コンタクト１４は前記ハウジング１２の下壁２６に配置され、もう一方の前記コンタクト１５は前記ハウジング１２の奥壁２４に配置されることを特徴とする請求項１記載のカードコネクタ装置１にしているので、前記バッテリパック５０があっても小型化や３．６ｍｍ以下の低背化が可能である。
（３）請求項３記載のカードコネクタ１０は、前記シェル１６の上板２８と下板３０を一体に形成することを特徴とする請求項１または２記載のカードコネクタ装置１にしているので、前記バッテリパック５０があっても小型化や３．６ｍｍ以下の低背化が可能である。
【発明を実施するための最良の形態】
【０００９】
図１から図７に基づいて、本発明のカードコネクタ装置の一実施例について説明する。図１（Ａ）は基板に接続された状態のカード挿入方向からみた本発明のカードコネクタ装置の斜視図であり、（Ｂ）はカードが挿入されてない状態のカード挿入方向からみた本発明のカードコネクタの斜視図である。図２はハウジングの斜視図であり、図３はシェルの斜視図である。図４（Ａ）はＳＩＭカード用コンタクトの斜視図であり、（Ｂ）はメモリーカード用コンタクトの斜視図である。図５はバッテリパックの斜視図である。図６（Ａ）はＳＩＭカードが挿入された状態のカードコネクタの斜視図であり、（Ｂ）はメモリーカードが挿入された状態のカードコネクタの斜視図である。図７（Ａ）はバッテリパックが装着され、ＳＩＭカードが挿入された状態のカードコネクタ装置の斜視図であり、（Ｂ）はバッテリパックが装着され、メモリーカードが挿入された状態のカードコネクタの斜視図である。
一実施例の本発明のカードコネクタ装置１はカードコネクタ１０とバッテリパック５０を備え、前記カードコネクタ１０は主にハウジング１２と２種類のコンタクト（ＳＩＭカード用コンタクト１４、メモリーカード用コンタクト１５）とシェル１６とを有している。以下で、それぞれの構成部品について説明する。
【００１０】
構成部品を説明する前に、メモリカードについて説明する。前記メモリカードはプリンターやカードリーダ等に使用されるものであって、前記メモリカードには主にメモリカード用コンタクト１５の接触部１５１と接触する接点と該接点から回路へ繋がるパターンと該パターン上に搭載されたＩＣやＣＰＵと接続する接続部とを備えている。本発明のカードコネクタ１０に使用されるカードとしては、ＳＤ（登録商標）カード、ＭＳ（登録商標）カード、MMCカード（登録商標）やこれらをさらに小型化したＳＤ  Ｍｉｃｒｏ（登録商標）カード、ＭＳ  Ｍｉｃｒｏ（登録商標）カード、Ｍｉｃｒｏ  MMCカード（登録商標）が挙げられる。
また、カードとしては、ＳＩＭカード（登録商標）（Ｓｕｂｓｃｒｉｂｅｒ  Ｉｄｅｎｔｉｔｙ  Ｍｏｄｕｌｅ）、マルチメディアカード（登録商標）、Mini−ＳＤカード（Mini  Secure  Digital  memory  card、登録商標）、コンパクトフラッシュ（登録商標）、ｘDカード（登録商標）、RS−MMCカード（Reduce Size MMC card、登録商標）、Transflashカード（登録商標）、Sカード（S card、登録商標）、Memory-Stick  Duo（登録商標）などのように、ＣＰＵあるいはメモリー用のＩＣが内臓されたＩＣカードが挙げられる。
本実施例のカードコネクタ１０には、上側にＭＳ  Ｍｉｃｒｏ（登録商標）カード６２が挿入でき、下側にＳＩＭカード（登録商標）６０が挿入できる構造になっている。また、一度２枚は挿入できる構造になっている。
【００１１】
本発明のポイントは、メモリカード６２とＳＩＭカード６０を挿入した前記カードコネクタ１０と前記バッテリパック５０を含んだ状態の前記カードコネクタ装置１の小型化と低背化をする、前記メモリカード６２と前記ＳＩＭカード６０と前記カードコネクタ１０と前記バッテリパック５０の配置にある。即ち、前記メモリカード６２を前記カードコネクタ１０の上段に挿入し、前記ＳＩＭカード６０を前記カードコネクタ１０の下段に挿入し、それぞれのカード６２、６０が挿入された状態で前記ＳＩＭカード６０は前記バッテリパック５０の下面に位置するとともに前記メモリーカード６２は前記バッテリパック５０の側面に位置している。
【００１２】
まず、前記ハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
【００１３】
前記ハウジング１２には、２つの側壁２２、２２と奥壁２４とこれらの側壁２２、２２と奥壁２４と連設する下壁２６とを有している。２つの側壁２２、２２と奥壁２４と下壁２６と前記シェル１６の上板２８及び下板３０により、ＭＳ  Ｍｉｃｒｏ（登録商標）カード６２とＳＩＭカード（登録商標）６０が挿入されるメモリカード用挿入口２０とＳＩＭカード用挿入口１８を形成している。つまり、下側にＳＩＭカード（登録商標）６０のスペース（挿入口１８）が形成され、上側にＭＳ  Ｍｉｃｒｏ（登録商標）カード６２の挿入スペース（挿入口２０）が形成されている。
また、前記ハウジング１２にはそれぞれのカード６０、６２に対応するＳＩＭカード用コンタクト１４及びメモリカード用コンタクト１５が装着されている。前記メモリカード用コンタクト１５は前記ハウジング１２の奥壁２４の挿入孔２７に圧入によって固定され、前記ＳＩＭカード用コンタクト１４は前記ハウジング１２の下壁２６に一体成型によって固定されている。
【００１４】
前記ハウジング１２には、ＭＳ  Ｍｉｃｒｏ（登録商標）カード６２に対応する前記メモリカード用コンタクト１５の接続部１５３が前記カード挿入方向と反対側に突出し、ＳＩＭカード（登録商標）６０に対応する前記ＳＩＭカード用コンタクト１４の接続部１４３が前記カード挿入方向側に突出するように配置されている。
【００１５】
前記ハウジング１２の両側の側壁２６内側には、ＭＳ  Ｍｉｃｒｏ（登録商標）カード６２を前記メモリカード用コンタクト１５方向へ導くためのガイド溝２３が設けられている。前記ガイド溝２３の大きさは、ＭＳ  Ｍｉｃｒｏ（登録商標）カード６２の厚みより０．１ｍｍ程度大きくしている。
前記メモリカード用挿入口２０及び前記ＳＩＭカード用挿入口１８が挿入される側の前記側壁２２には、それぞれのカード６０、６２を挿入し易くするための誘い部としての面取りが施されている。
【００１６】
次に、ＳＩＭカード用コンタクト１４及びメモリカード用コンタクト１５について説明する。これらのＳＩＭカード用コンタクト１４及びメモリカード用コンタクト１５は金属製であり、公知技術のプレス加工によって製作されている。前記ＳＩＭカード用コンタクト１４及び前記メモリカード用コンタクト１５の材質としては、バネ性や導電性などが要求されるので、黄銅やベリリウム銅やリン青銅等を挙げることができる。前記ＳＩＭカード用コンタクト１４及び前記メモリカード用コンタクト１５は、主に、前記ＳＩＭカード６０及び前記メモリカード６２の接点に接触する接触部１４１、１５１と前記ハウジング１２に固定される固定部１４２、１５２と基板７０に接続される接続部１４３、１５３とを有している。
【００１７】
前記ＳＩＭカード用コンタクト１４は図４（Ａ）のように略板状片をしており、ＳＩＭカード（登録商標）６０に対応するものであり、前記ＳＩＭカード用コンタクト１４の接続部１４３は、基板７０の回路設計や占有面積やコネクタ１０の大きさ及び設計を考慮して適宜設計している。本実施例では、前記ＳＩＭカード用コンタクト１４の接続部１４３はカード挿入側に突出するように設けられ、図１のように表面実装（ＳＭＴ）タイプになっている。前記ＳＩＭカード用コンタクト１４には、前記接続部１４３の反対側端に前記ＳＩＭカード６０と接触する接触部１４１が設けられ、該接触部１４１はＳＩＭカード（登録商標）６０の接点と接触し易いように湾曲させている。前記ＳＩＭカード用コンタクト１４は前記ハウジング１２に圧入や引っ掛けや一体成型や溶着等によって固定されており、本実施例では、前記カードコネクタ１０の低背化を考慮して、一体成型によって固定されている。
【００１８】
前記メモリカード用コンタクト１５は図４（Ｂ）のように略Ｌ字形状をしており、ＭＳ  Ｍｉｃｒｏ（登録商標）カード６２に対応するものであり、前記メモリカード用コンタクト１５の接続部１５３は、基板７０の回路設計や占有面積やコネクタ１０の大きさ及び設計を考慮して適宜設計している。本実施例では、前記メモリカード用コンタクト１５の接続部１５３はカード挿入側と反対側に突出するように設けられ、図１のように表面実装（ＳＭＴ）タイプになっている。前記メモリカード用コンタクト１５には、前記接続部１５３の反対側にＭＳ  Ｍｉｃｒｏ（登録商標）カード６２と接触する接触部１５１が設けられ、該接触部１５１はＭＳ  Ｍｉｃｒｏ（登録商標）カード６２の接点と接触し易いように湾曲させている。前記メモリカード用コンタクト１５は前記ハウジング１２に圧入や引っ掛けや一体成型や溶着等によって固定されており、本実施例では、前記カードコネクタ１０の低背化を考慮して、圧入によって固定されている。
【００１９】
最後に、シェル１６について説明する。このシェル１６は金属製であり、公知技術のプレス加工によって製作されている。前記シェル１６の材質としては、加工性や半田付け性などが要求されるので、黄銅やベリリウム銅やリン青銅やステンレス鋼等を挙げることができる。
前記シェル１６は図３のように断面略クランク形状をしており、それぞれのカード挿入口１８、２０の形成やカード保持や上側に挿入されるＭＳ  Ｍｉｃｒｏ（登録商標）カード６２の浮き防止や接触安定やノイズ対策や前記カードコネクタ１０を基板７０に確実に固定するためのものである。前記シェル１６は上板２６と下板２８と上下板２６、２８を連結する連結部３２と前記メモリカード６２と接触するメモリカード用接触片３８と前記ハウジング１２へ固定する保持部３６を有している。以下、それぞれの部位について説明する。
【００２０】
前記上下板２６、２８は、ノイズ対策とＭＳ  Ｍｉｃｒｏ（登録商標）カード６２とＳＩＭカード（登録商標）６０の挿入口１８、２０を前記ハウジング１２と形成するものである。前記上下板２６、２８は、ノイズ対策が可能なように、ＭＳ  Ｍｉｃｒｏ（登録商標）カード６２とＳＩＭカード（登録商標）６０が前記カードコネクタ１０に挿入できるように配置され、前記上下板２６、２８は連結部３２によって一体に形成されている。即ち、ＳＩＭカード用挿入口１８は前記下板２８と前記ハウジング１２の両側壁２２、２２と奥壁２４と下壁２６によって形成され、メモリカード用挿入口２０は前記シェル１６の上板２６と下板２８と前記ハウジング１２の両側壁２２、２２と奥壁２４によって形成されている。前記上板２６と前記下板２８の大きさ・形状は、上記役割やＭＳ  Ｍｉｃｒｏ（登録商標）カード６２及びＳＩＭカード（登録商標）６０の大きさやコネクタ１０の小型化や低背化等を考慮して適宜設計する。
【００２１】
前記シェル１６には、ＭＳ  Ｍｉｃｒｏ（登録商標）カード６２と接触するメモリカード用接触片３８が設けられている。該メモリカード用接触片３８は静電気対策のためのものである。前記メモリカード用接触片３８の大きさ・形状はこのような役割や接触安定性やコネクタ１０の小型化等を考慮して適宜設計する。
前記シェル１６には、前記ハウジング１２に固定するための保持部３６が設けられている。該保持部３６は前記ハウジング１２に固定するための部分であり、本実施例では圧入によって固定している。前記保持部３６の大きさや形状は前記シェル１６の保持強度等を考慮して適宜設計している。
【００２２】
前記シェル１６には、前記基板７０に固定するための固定タブ部３４が設けられている。該固定タブ部３４は前記基板７０へ固定することで、前記カードコネクタ１０の保持力をアップするためと、前記ＭＳ  Ｍｉｃｒｏ（登録商標）カード６２の静電気を基板７０へ逃がすためのものである。前記固定タブ部３４はこのような役割と基板７０の占有面積やコネクタ１０の小型化を考慮して適宜設計する。本実施例では、表面実装タイプにしている。
【００２３】
前記バッテリパック５０が装着された状態では、挿入されたそれぞれのカード６０、６２は抜去できないようになっている。それぞれのカード６０、６２を抜去する際には、前記バッテリパック５０を取り外してから抜去している。本実施例では、挿入されたそれぞれのカード６０、６２を抜去する際は手で抜いているが、抜去の方法としては、図示はしないが、イジェクト方式やプッシュ方式も考えられる。抜去の方法としては、仕様やコネクタ１０の小型化やカードの保護等を考慮して適宜設計する。イジェクト方式とは別部品としてイジェクトボタンを用いるもので、プッシュ方式とは所謂ハートカムを所定の位置に設けて、カードを更に押し込むことで抜去する構造である。
【産業上の利用可能性】
【００２４】
本発明の活用例としては、携帯電話や通信機器などの各種電子・電気機器に使用され、ＳＩＭカード及びメモリカードを挿入してＳＩＭカード及びメモリカードと信号入出力可能なカードコネクタとバッテリーパックが装着されるカードコネクタ装置に関するもので、特にバッテリパックを含んでも奥行き方向の長さの小型化と低背化を図ったカードコネクタ装置に関するものである。
【図面の簡単な説明】
【００２５】
【図１】（Ａ）  基板に接続された状態のカード挿入方向からみた本発明のカードコネクタ装置の斜視図である。（Ｂ）  カードが挿入されてない状態のカード挿入方向からみた本発明のカードコネクタの斜視図である。
【図２】ハウジングの斜視図である。
【図３】シェルの斜視図である。
【図４】（Ａ）  ＳＩＭカード用コンタクトの斜視図である。（Ｂ）  メモリーカード用コンタクトの斜視図である。
【図５】バッテリパックの斜視図である。
【図６】（Ａ）  ＳＩＭカードが挿入された状態のカードコネクタの斜視図である。（Ｂ）  メモリーカードが挿入された状態のカードコネクタの斜視図である。
【図７】（Ａ）  バッテリパックが装着され、ＳＩＭカードが挿入された状態のカードコネクタ装置の斜視図である。（Ｂ）  バッテリパックが装着され、メモリーカードが挿入された状態のカードコネクタの斜視図である。
【符号の説明】
【００２６】
１                カードコネクタ装置
１０              カードコネクタ
１２              ハウジング
１４              ＳＩＭカード用コンタクト
１５              メモリーカード用コンタクト
１４１、１５１    接触部
１４２、１５２    固定部
１４３、１５３    接続部
１６              シェル
１８              ＳＩＭカード用挿入口
２０              メモリカード用挿入口
２２              側壁
２３              ガイド溝
２４              奥壁
２６              下壁
２７              挿入孔
２８              上板
３０              下板
３２              連結部
３４              固定タブ部
３６              保持部
３８              メモリカード用接触片
５０              バッテリパック
６０              ＳＩＭカード
６２              メモリーカード
７０              基板
【図１】
2008204847.tif 000003
【図２】
2008204847.tif 000004
【図３】
2008204847.tif 000005
【図４】
2008204847.tif 000006
【図５】
2008204847.tif 000007
【図６】
2008204847.tif 000008
【図７】
2008204847.tif 000009